(57)【要約】【課題】画像監視領域設定作業の修正や取り消しを素早く且つ容易にするための画像監視領域設定方法及びシステムを提供する。【解決手段】画像監視システムに応用され、使用者が画像監視領域を設定することにより、画像監視システムが対応する監視作業を行うようにする画像監視領域設定方法であって、まず、画像監視システムから出力された画像データ画面を複数のユニット画像領域に分割し、次に、各ユニット画像領域のそれぞれに含まれた画像データに基づいて監視作業を行うべき画像領域を選択し、そして画像監視システムが、選択されたユニット画像領域に対して対応する監視作業を行うことにより、監視領域の設定作業がより簡単で且つ直観的に行えるようになり、使用者がより容易に操作できるようになっている。【選択図】  図１
2008118376.tif 000002
【特許請求の範囲】
【請求項１】
画像監視システムに応用され、使用者が画像監視領域を設定することにより前記画像監視システムが対応する監視作業を行うようにする画像監視領域設定方法であって、
前記画像監視システムから出力された画像データ画面を分割して、複数のユニット画像領域を形成する工程と、
前記ユニット画像領域のそれぞれに含まれた画像データに基づいて、監視作業を行うべきユニット画像領域を選択する工程と、
前記画像監視システムが選択されたユニット画像領域に対して対応する監視作業を行うようにする工程とを含む、画像監視領域設定方法。
【請求項２】
前記の画像データ画面の分割工程は、前記画像監視システムから出力された画像データ画面に格子状の領域を形成することにより、前記画像データ画面を複数のユニット画像領域に分割する工程をさらに含む、請求項１に記載の画像監視領域設定方法。
【請求項３】
前記画像監視システムが、選択されたユニット画像領域を検知し、且つ前記選択されたユニット画像領域においてオブジェクトの動作が生じたと判断した場合には検知録画作業を実行させるようにする工程をさらに含む、請求項１に記載の画像監視領域設定方法。
【請求項４】
前記画像監視システムが、選択されたユニット画像領域を検知し、且つ前記選択されたユニット画像領域においてオブジェクトの動作が停止したと判断した場合には検知録画作業を中止させるようにする工程をさらに含む、請求項１に記載の画像監視領域設定方法。
【請求項５】
画像監視システムに搭載され、使用者が画像監視領域を設定することにより前記画像監視システムが対応する監視作業を行うようにする画像監視領域設定システムであって、
前記画像監視システムから出力された画像データ画面を分割して、複数のユニット画像領域を形成するための分割モジュールと、
前記分割モジュールによって分割されてなる前記ユニット画像領域のそれぞれに含まれた画像データに基づいて、監視作業を行うべきユニット画像領域を選択するための設定モジュールと、
前記画像監視システムが、前記設定モジュールによって選択されたユニット画像領域に対して、対応する監視作業を行うようにするための処理モジュールとを備える、画像監視領域設定システム。
【請求項６】
前記分割モジュールは、前記画像監視システムから出力された画像データ画面に格子状の領域を形成することにより、前記画像データ画面を複数のユニット画像領域に分割する、請求項５に記載の画像監視領域設定システム。
【請求項７】
前記処理モジュールは、前記設定モジュールによって選択されたユニット画像領域を検知し、且つ前記選択されたユニット画像領域においてオブジェクトの動作が生じたと判断した場合には前記画像監視システムに検知録画作業を実行させる、請求項５に記載の画像監視領域設定システム。
【請求項８】
前記処理モジュールは、前記設定モジュールによって選択されたユニット画像領域を検知し、且つ前記選択されたユニット画像領域内においてオブジェクトの動作が停止したと判断した場合には前記画像監視システムに検知録画作業を中止させる、請求項５に記載の画像監視領域設定システム。
【発明の詳細な説明】
【技術分野】
【０００１】
本発明は、監視領域の設定技術に関し、より詳しくは、使用者による監視領域の設定を容易にするための画像監視領域設定方法及びシステムに関する。
【背景技術】
【０００２】
映像監視システムの発展は、主に３つの段階に分けられている。９０年代初期以前では、アナログ設備を主とするＣＣＴＶ（Ｃｌｏｓｅｄ  Ｃｉｒｃｕｉｔ  ＴＶ、閉回路テレビ）監視システムであり、これが第１世代のアナログ監視システムと呼ばれていた。９０年代中期では、コンピュータ処理能力の向上や映像技術の発展に伴って、コンピュータの高速データ処理能力を利用して、映像信号の取り込みや処理を行うことができるとともに、ディスプレーの高解像度を利用して画像のマルチ画面表示を実現することができるようになり、画像の品質が大幅に向上した。このようなパソコンをマルチメディア制御装置システムとする映像監視システムは、第２世代のデジタル化ローカル映像監視システムと呼ばれている。９０年代末期では、ネットワークのバンド幅、コンピュータ処理能力や保存容量の更なる向上、及びさまざまな実用的映像処理技術の出現に伴って、映像監視はフルデジタル化のネットワーク時代、即ち第３世代のリモート映像監視システム時代に突入した。この第３世代の映像監視システムは、ネットワークをフレームワークとし、デジタル映像の圧縮、転送、保存や再生を中心とし、知能的で実用性のある画像分析を特徴としているため、映像監視に技術革命をもたらし、学術界や産業界から大いに注目されている。
【０００３】
デジタル映像監視システムが将来的に非常に大きな発展の可能性を有することから、現在、性能の向上によって人的作業の負担を軽減するために、デジタル映像監視システムにおいては新たに動体検知技術が開発されている。この検知技術により、使用者は、監視画面において動体検知を行うべき領域を予め設定することができ、映像監視システムを起動させた後、当該映像監視システムが、設定された動体検知領域内において異常（例えば倉庫の入り口における移動オブジェクトの出現）を検知した場合、使用者が予め設定した警告方法により警告メッセージを出力することができる。例えば、インターネットまたはショートメッセージセンターを介して使用者により指定されたアドレスにショートメッセージを送信し、現場の画像を電子メールによって使用者に送信することができる。このように、映像監視作業において表示スクリーンを人的資源を用いて長時間監視することによって生じる各種の欠点を回避することができる。
【発明の開示】
【発明が解決しようとする課題】
【０００４】
ただし、動体検知技術では、使用者が動体検知の領域を選択する場合、マウスカーソルをドラッグして範囲指定する方法が取られているが、このような方法ではその精確性に限界があり、しかも、設定された動体検知領域が例えば矩形、楕円形などの決まった形状であり、また、使用者が選択された領域の一部を取り消したい場合、選択された作業の一部を取り消すのではなく、動体検知領域を改めて選択し直す必要があるため、動体検知領域に対する修正を直観的に確認することが難しいことがあった。
【０００５】
したがって、従来の動体検知領域の設定において生じる欠点を解決することは、業界において極めて重要な課題となっている。
【０００６】
そこで、以上のとおりの事情に鑑み、本発明は、画像監視領域の設定作業を容易に直観的に行えるようにするための画像監視領域設定方法及びシステムを提供することを課題とする。
【０００７】
また、本発明は、画像監視領域設定作業の修正や取り消しを素早く且つ容易にするための画像監視領域設定方法及びシステムを提供することを課題とする。
【０００８】
さらに、本発明は、監視領域設定作業の精確性を向上させるための画像監視領域設定方法及びシステムを提供することを課題とする。
【課題を解決するための手段】
【０００９】
上記の課題を解決するために、本発明では、画像監視領域設定方法及びシステムが提供されている。本発明に係る画像監視領域設定方法は、画像監視システムに応用され、使用者が画像監視領域を設定することにより画像監視システムが対応する監視作業を行うようにする方法であって、画像監視システムから出力された画像データ画面を分割して、複数のユニット画像領域を形成する工程と、ユニット画像領域のそれぞれに含まれた画像データに基づいて、監視作業を行うべきユニット画像領域を選択する工程と、画像監視システムが選択されたユニット画像領域に対して対応する監視作業を行う工程とを含む。
【００１０】
画像データ画面の分割工程には、さらに、画像監視システムから出力された画像データ画面に格子状の領域を形成して画像データ画面を複数のユニット画像領域に分割する工程が含まれ、画像監視領域設定方法には、さらに、画像監視システムが選択されたユニット画像領域を検知し、選択されたユニット画像領域においてオブジェクトの動作が生じたと判断した場合には検知録画作業を実行させ、該選択されたユニット画像領域においてオブジェクトの動作が停止したと判断した場合には検知録画作業を中止させる工程が含まれる。
【００１１】
本発明に係る画像監視領域設定システムは、画像監視システムから出力された画像データ画面を分割して、複数のユニット画像領域を形成するための分割モジュールと、分割モジュールによって分割されてなるユニット画像領域のそれぞれに含まれた画像データに基づいて、監視作業を行うべきユニット画像領域を選択するための設定モジュールと、画像監視システムが設定モジュールによって選択されたユニット画像領域に対して対応する監視作業を行うようにするための処理モジュールとを備えている。
【００１２】
分割モジュールは、画像監視システムから出力されたデータ画面に格子状の領域を形成することにより、画像データ画面を複数のユニット画像領域に分割するものであってよく、処理モジュールは、さらに、設定モジュールによって選択されたユニット画像領域を検知し、且つ選択されたユニット画像領域においてオブジェクトの動作が生じたと判断した場合には画像監視システムに検知録画作業を実行させ、選択されたユニット画像領域においてオブジェクトの動作が停止したと判断した場合には画像監視システムに検知録画作業を中止させる。
【発明の効果】
【００１３】
上記のように、本発明に係る画像監視領域設定方法及びシステムは、画像監視システムから出力された画像データ画面を複数のユニット画像領域に分割することにより、使用者が各ユニット画像領域のそれぞれに含まれた画像データに基づいて監視作業を行うべき領域を選択することで、監視領域の設定作業がより簡単で直観的に行うことができ操作しやすくなる。
【発明を実施するための最良の形態】
【００１４】
以下、本発明を具体的な実施の形態に基づいてさらに詳細に説明するが、本発明は、これらの実施の形態に限定されるものではなく、この技芸に習熟した者は本明細書に記載の内容によって簡単に本発明のその他の利点や効果が理解できる。本発明は、さらにその他
の異なる具体的な実施形態に基づいて実施や応用を行うことができ、本明細書における各詳細な内容は、異なる観点や応用に基づいて、本発明の要旨を逸脱しない範囲内で種種の修飾や変更が可能であることは言うまでもない。
【００１５】
図１及び図３は、本発明に係る画像監視領域設定システム１１の基本構造を模式的に示したブロック図である。画像監視領域設定システム１１は、画像監視システム１に搭載され、使用者が画像監視領域を設定することにより、画像監視システム１がそれに対応する監視作業を行うようにするものであり、本実施形態においては、画像監視システム１は、デジタル映像監視システムである。
【００１６】
図１に示すように、本発明に係る画像監視領域設定システム１１は、少なくとも、分割モジュール１１１、設定モジュール１１２及び処理モジュール１１３を含む。以下それらの構成について詳しく説明する。
【００１７】
分割モジュール１１１は、画像監視システム１から出力された画像データ画面を分割して、複数のユニット画像領域を形成する。本実施形態においては、画像監視システム１から出力されたデータ画面に格子状の領域を形成することにより、画像データ画面を複数のユニット画像領域に分割する。図３に示すように、画像監視領域設定インタフェース２において、分割モジュール１１１は、画像データ画面２２に２×３の格子状の領域を形成することにより、画像データ画面２２をユニット画像領域２２１、２２２、２２３、２２４、２２５及び２２６に分割する。ただし、ここで注意すべきことは、画像監視システム１に複数のカメラが設けられている場合は、カメラ選択欄２１において対応するカメラ（例えばＣｈａｎｎｅｌ  １）を選択することによって対応する画像データを取得しなければならない点である。
【００１８】
設定モジュール１１２は、分割モジュール１１１によって分割形成された各ユニット画像領域２２１、２２２、２２３、２２４、２２５及び２２６のそれぞれに含まれた画像データに基づいて、監視作業を行うべきユニット画像領域を選択する。例えば、ユニット画像領域２２２に含まれた画像データが倉庫の入り口であれば、監視者は、誰かが倉庫に勝手に入り込まないかどうかを監視するために、ユニット画像領域２２２を監視作業を行うべき領域としてクリックすることができる。もし監視者が、ユニット画像領域２２３を監視作業を行うべき領域として誤ってクリックした場合は、当該ユニット画像領域２２３を再びクリックするだけで設定を取り消すことができる。
【００１９】
処理モジュール１１３は、画像監視システム１が設定モジュール１１２によって選択されたユニット画像領域に対してそれに対応する監視作業を行うようにするものである。本実施形態においては、画像監視システム１は、設定モジュール１１２によって選択されたユニット画像領域２２２に対して動体検知作業を行う。即ち、処理モジュール１１３がユニット画像領域２２２を検知し、ユニット画像領域２２２においてオブジェクトの動作が発生していると判断した場合には画像監視システム１に検知録画作業を実行させ、ユニット画像領域２２２においてオブジェクトの動作が停止したと判断した場合には画像監視システム１に検知録画作業を中止させるようにする。また、処理モジュール１１３は、ユニット画像領域２２２においてオブジェクトの動作が発生したと判断した場合、インターネットまたはショートメッセージセンターを経由して監視者によって予め指定されたアドレスに対してショートメッセージを送信し、警告として現場の画像メッセージを例えば電子メールなどの通信手段により監視者に送信することができる。
【００２０】
本発明に係る画像監視領域設定方法の操作の模式図を図２に示す。まず、ステップＳ１０において、分割モジュール１１１は、画像監視システム１によって出力された画像データ画面を分割することにより、複数のユニット画像領域を形成する。本実施形態において
は、分割モジュール１１１は、画像監視システム１によって出力された画像データ画面２２に格子状の領域を形成することにより、画像データ画面２２を複数のユニット画像領域２２１、２２２、２２３、２２４、２２５及び２２６（図３に示す）に分割し、そしてステップＳ１１に入る。
【００２１】
ステップＳ１１において、設定モジュール１１２は、ユニット画像領域２２１、２２２、２２３、２２４、２２５及び２２６のそれぞれに含まれた画像データに基づいて、監視作業を行うべきユニット画像領域を選択することができる。例えば、ユニット画像領域２２２に含まれた画像データが倉庫の入り口であれば、使用者は誰かが倉庫に勝手に入り込まないかどうかを監視するために、ユニット画像領域２２２を監視作業を行うべき領域としてクリックすることができる。続いてステップＳ１２に入る。
【００２２】
ステップＳ１２において、処理モジュール１１３は、画像監視システム１が選択されたユニット画像領域に対して対応する監視作業を行うようにするものである。本実施形態においては、画像監視システム１は、設定モジュール１１２によって選択されたユニット画像領域２２２に対して動体検知作業を行う。即ち、処理モジュール１１３がユニット画像領域２２２を検知し、ユニット画像領域２２２においてオブジェクトの動作が発生していると判断した場合には画像監視システムに検知録画作業を実行させ、ユニット画像領域２２２においてオブジェクトの動作が停止したと判断した場合には画像監視システムに検知録画作業を中止させるようにする。また、処理モジュール１１３は、ユニット画像領域１２２においてオブジェクトの動作が発生したと判断した場合、インターネットまたはショートメッセージセンターを経由して監視者によって予め指定されたアドレスに対してショートメッセージを送信し、警告として現場の画像メッセージを電子メールにより使用者に送信することができる。
【００２３】
ここで注意すべきことは、処理モジュール１１３によるユニット画像領域２２２においてオブジェクトの動作が発生しているかどうかの判断が、予め設定された移動アルゴリズムに基づいて行われる点である。この点については業界において周知の技術であるため、ここでは詳しい説明を省略する。
【００２４】
上記のように、本発明に係る画像監視領域設定方法及びシステムは、画像監視システムから出力された画像データ画面に対して領域の分割を行い、複数のユニット画像領域を形成することにより、使用者が各ユニット画像領域のそれぞれに含まれた画像データに基づいてそれに対応する選択作業を行えるようにしているため、従来のようにマウスカーソルをドラッグして範囲指定する方法と比較して、本発明に係る画像監視領域設定方法は、より直観的且つ操作が容易になり、ひいては設定された監視領域に対して、使用者が任意に修正または取り消しをするのに便利であり、監視領域の設定インタフェースがより人間の特性への合致に対する需要に応えるものとなっている。
【００２５】
以上、本発明の原理と効果を実施の形態をもとに説明したが、本発明の技術的範囲は上記実施の形態に記載の内容に限定されるものではない。上記実施の形態は例示に過ぎず、それらの各構成要素の組み合わせに、さらに様々な変形例が実施可能なこと、またそうした変形例も本発明の請求範囲にあることは当業者に理解されるところである。
【図面の簡単な説明】
【００２６】
【図１】本発明に係る画像監視領域設定システムの基本構造を模式的に示したブロック図である。
【図２】本発明に係る画像監視領域設定方法の操作の流れを模式的に示したフローチャートである。
【図３】本発明に係る画像監視領域設定方法及びシステムの応用例を模式的に示した図である。
【符号の説明】
【００２７】
１  画像監視システム
１１  画像監視領域設定システム
１１１  分割モジュール
１１２  設定モジュール
１１３  処理モジュール
２  画像監視領域設定インタフェース
２１  カメラ選択欄
２２  画像データ画面
２２１、２２２、２２３、２２４、２２５、２２６  ユニット画像領域
Ｓ１０〜Ｓ１２  ステップ
【図１】
2008118376.tif 000003
【図２】
2008118376.tif 000004
【図３】
2008118376.tif 000005